(57)【要約】      （修正有）【課題】籠に対する抵抗が強いペットに対し、時限開閉錠を提供する。【解決手段】ペット籠１０と、前記ペット籠の中に設置されるペット活動空間３１とを含み、前記ペット活動空間３１の中には封閉装置が設けられ、前記封閉装置が封閉扉３５を含み、前記封閉扉３５には錠機構が設けられ、前記ペット活動空間の中には給餌装置が設けられ、前記給餌装置が前記ペット活動空間の中に設置される給餌茶碗３３を含み、前記ペット活動空間３１の中には注意装置が設けられ、装置は構造が簡単で、使用が便利で、時間を設定することによって本装置の起動時間を調整でき、本装置が起動した後、給餌を自動的に行うとともに、声を発してペットをペット籠１０に入らせ、入った後に自動的に閉扉して自動的に閉鎖し、指定した時間が経った後に自動的に解錠して開扉し、ペットの籠に対する抵抗を解決し、飼い主の時間を大きく節約できる。【選択図】図２
2020174646.tif 000002
【特許請求の範囲】
【請求項１】
ペット籠と、前記ペット籠の中に設置されるペット活動空間とを含み、前記ペット活動空間の中には封閉装置が設けられ、前記封閉装置が封閉扉を含み、前記封閉扉には錠機構が設けられ、前記ペット活動空間の中には給餌装置が設けられ、前記給餌装置が前記ペット活動空間の中に設置される給餌茶碗を含み、前記ペット活動空間の中には注意装置が設けられ、前記ペット籠の中には閉扉伝動空間設けられ、前記閉扉伝動空間の中には封閉伝動装置が設置され、前記封閉伝動装置と前記封閉装置の中の前記封閉扉とが連結され、前記ペット籠の中にはラッチ空間が設けられ、前記ラッチ空間に中にはラッチ装置が設けられ、前記ラッチ装置が前記錠機構と協働するラッチを含み、前記ペット籠の中には動力空間が設けられ、前記動力空間の中には動力装置が設けられ、前記動力装置がタイマー起動を行える時限モータを含み、前記動力装置の中には歯車機構が設けられ、前記ペット籠の中にはメイン伝動空間が設けられ、前記メイン伝動空間の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、前記動力装置は前記ペット籠の中に設置される前記動力空間を含み、前記動力空間の右壁には前記時限モータが固定的に設置され、前記時限モータの左端には動力軸が伝動できるように連結され、前記動力軸の左端には駆動扇形歯車が固定的に設けられ、
その他、前記歯車機構は前記動力空間の右壁に回転できるように設置される第一伝動軸を含み、前記第一伝動軸が前記動力軸の後側に位置し、前記動力空間の後壁には第二伝動軸が回転できるように設けられ、前記第二伝動軸が前記動力軸の上側に位置し、前記動力空間の後壁には第三伝動軸が回転できるように設けられ、前記第三伝動軸が前記動力軸の前側に位置し、前記動力空間の後壁には第四伝動軸が回転できるように設けられ、前記第四伝動軸が前記動力軸の下側に位置し、前記動力空間の右壁には第五回転軸が回転できるように設けられ、前記第五回転軸が前記第四伝動軸の前側に位置し、前記第一伝動軸には給餌駆動歯車が固定的に設置され、前記第二伝動軸には閉扉駆動歯車が固定的に設置され、前記第三伝動軸には閉鎖駆動歯車が固定的に設置され、前記第五回転軸には解錠転向歯車が固定的に設置され、前記第四伝動軸には前記解錠転向歯車と噛み合う解錠駆動歯車が固定的に設置されることを特徴とする時限開閉錠。
【請求項２】
前記伝動装置は、前記ペット籠の中に設置され、且つ、前記動力空間と連通される前記メイン伝動空間を含み、前記メイン伝動空間の底壁には給餌回転盤軸が回転できるように設けられ、前記給餌回転盤軸と前記第一伝動軸との間が第一プーリによって伝動できるように連結され、前記給餌回転盤軸の上端には給餌回転盤が固定的に設置され、前記給餌回転盤の中には上下に貫通した給餌穴が設けられ、前記メイン伝動空間の底壁には錠軸が回転できるように設けられ、前記メイン伝動空間の頂壁には閉扉中間伝動軸が回転できるように設けられ、前記閉扉中間伝動軸と前記第二伝動軸との間が前記第二プーリによって伝動できるように連結され、前記閉扉中間伝動軸には閉扉変速伝動歯車が固定的に設けられ、前記錠軸と前記第三伝動軸と、前記第五回転軸とが第三プーリによって伝動できるように連結され、前記錠軸の上端には傘歯車が固定的に設けられ、前記メイン伝動空間の前壁には回転レバーが回転できるように設けられ、前記回転レバーの後端には前記傘歯車と噛み合う転向傘歯車が固定的に設置され、前記回転レバーには変速歯車が固定的に設置され、前記メイン伝動空間の右壁には固定ラックスライド溝が設けられ、前記固定ラックスライド溝の中にはラックがスライドできるように設けられ、前記ラックの前端には前記閉扉変速伝動歯車を固定する固定ブロックが固定的に設置され、前記メイン伝動空間の頂壁には固定伝動軸が回転できるように設けられ、前記固定伝動軸と前記錠軸との間が同期プーリによって伝動できるように連結され、前記固定伝動軸には前記ラックと噛み合う固定伝動歯車が固定的に設置されることを特徴とする請求項１に記載の時限開閉錠。
【請求項３】
前記封閉装置は前記ペット籠の中に設置される前記ペット活動空間を含み、前記ペット活動空間が前記メイン伝動空間の右側に位置し、前記ペット活動空間の上下壁の間には前記封閉扉がスライドできるように設けられ、前記封閉扉の中には柵が固定的に設けられ、前記錠機構が前記封閉扉の前端面に固定的に設置されるロックブロックを含み、前記ロックブロックの中には上下に貫通したロック穴が設けられることを特徴とする請求項１に記載の時限開閉錠。
【請求項４】
前記封閉伝動装置は前記ペット籠の中に設置される前記閉扉伝動空間を含み、前記閉扉伝動空間が前記ペット活動空間の上側に位置し、且つ前記ペット活動空間と連通され、前記閉扉伝動空間が前記メイン伝動空間と連通され、前記封閉扉の上端面には扉連結レバーが固定的に設置され、前記扉連結レバーが前記閉扉伝動空間の中まで上へ伸びており、前記閉扉伝動空間の頂壁には扉スライドブロックスライド溝が設けられ、前記扉スライドブロックスライド溝の中には扉スライドブロックがスライドできるように設置され、前記扉連結レバーの上端が前記扉スライドブロックの下端面と固定的に連結され、前記扉スライドブロックの後端面と前記扉スライドブロックスライド溝の後壁との間が開扉ばねによって固定的に連結され、前記閉扉伝動空間の上下壁の間には閉扉伝動軸が回転できるように設けられ、前記閉扉伝動軸には閉扉伝動歯車が回転できるように設けられ、前記閉扉伝動歯車と前記閉扉変速伝動歯車とが噛み合い、前記閉扉伝動歯車にはリールが固定的に設置され、前記リールには閉扉引縄が周設され、前記閉扉引縄の後端と前記扉連結レバーの前端面とが固定的に連結され、前記給餌装置は前記メイン伝動空間の頂壁に固定的に設置される餌箱を含み、前記餌箱の上端が前記ペット籠の上側まで伸びており、前記餌箱の中には上方に開口した餌空間が設けられ、前記餌空間の上側には蓋がねじ山によって結合され、前記給餌回転盤が前記餌空間の中まで伸びており、前記餌空間の底壁には給餌パイプが固定的に連結され、前記給餌パイプと前記餌空間とが連通され、前記給餌パイプの右端が前記ペット活動空間の中まで伸びており、前記ペット活動空間の左壁には前記給餌茶碗が固定的に設けられ、前記給餌茶碗の中には上方に開口した給餌溝が設けられることを特徴とする請求項１に記載の時限開閉錠。
【請求項５】
前記注意装置は前記ペット活動空間の左壁に固定的に設置される注意スピーカを含み、前記ラッチ装置は前記ペット箱の中に設置される前記ラッチ空間を含み、前記ラッチ空間と前記メイン伝動空間とが連通され、前記ラッチ空間の前後壁の間にはラッチラックがスライドできるように設けられ、前記ラッチラックと前記変速歯車とが噛み合い、前記ラッチラックの下端面には前記ラッチが固定的に設置され、前記ラッチ空間の底壁の中には上方に開口したラッチ固定溝が設けられることを特徴とする請求項１に記載の時限開閉錠。
【発明の詳細な説明】
【技術分野】
【０００１】
本発明は機械技術分野に関し、具体的には時限開閉錠に関する。
【背景技術】
【０００２】
生活レベルの向上と伴い、生活においてペットの必要性を感じて飼う人が多くなってきた。夜にいい眠りを保証するために、生まれつきながら活動が頻繁である上に、飼い主と体内時計が違うペットに対して、夜になると籠の中に閉じ込め、昼になったら解放する方法を採用するものの、籠に対する抵抗が強いペットに対し、時限開閉錠を提供する必要があると思う。
【先行技術文献】
【特許文献】
【０００３】
【特許文献１】中国特許出願公開第１０５０６４８２０号明細書
【発明の概要】
【発明が解決しようとする課題】
【０００４】
本発明の目的は時限開閉錠を提供し、既存の技術にある上記の欠陥を補うことにある。
【課題を解決するための手段】
【０００５】
本発明の時限開閉錠は、ペット籠と、前記ペット籠の中に設置されるペット活動空間とを含み、前記ペット活動空間の中には封閉装置が設けられ、前記封閉装置が封閉扉を含み、前記封閉扉には錠機構が設けられ、前記ペット活動空間の中には給餌装置が設けられ、前記給餌装置が前記ペット活動空間の中に設置される給餌茶碗を含み、前記ペット活動空間の中には注意装置が設けられ、前記ペット籠の中には閉扉伝動空間設けられ、前記閉扉伝動空間の中には封閉伝動装置が設置され、前記封閉伝動装置と前記封閉装置の中の前記封閉扉とが連結され、前記ペット籠の中にはラッチ空間が設けられ、前記ラッチ空間に中にはラッチ装置が設けられ、前記ラッチ装置が前記錠機構と協働するラッチを含み、前記ペット籠の中には動力空間が設けられ、前記動力空間の中には動力装置が設けられ、前記動力装置がタイマー起動を行える時限モータを含み、前記動力装置の中には歯車機構が設けられ、前記ペット籠の中にはメイン伝動空間が設けられ、前記メイン伝動空間の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、前記動力装置は前記ペット籠の中に設置される前記動力空間を含み、前記動力空間の右壁には前記時限モータが固定的に設置され、前記時限モータの左端には動力軸が伝動できるように連結され、前記動力軸の左端には駆動扇形歯車が固定的に設けられる。
【０００６】
その他、前記歯車機構は前記動力空間の右壁に回転できるように設置される第一伝動軸を含み、前記第一伝動軸が前記動力軸の後側に位置し、前記動力空間の後壁には第二伝動軸が回転できるように設けられ、前記第二伝動軸が前記動力軸の上側に位置し、前記動力空間の後壁には第三伝動軸が回転できるように設けられ、前記第三伝動軸が前記動力軸の前側に位置し、前記動力空間の後壁には第四伝動軸が回転できるように設けられ、前記第四伝動軸が前記動力軸の下側に位置し、前記動力空間の右壁には第五回転軸が回転できるように設けられ、前記第五回転軸が前記第四伝動軸の前側に位置し、前記第一伝動軸には給餌駆動歯車が固定的に設置され、前記第二伝動軸には閉扉駆動歯車が固定的に設置され、前記第三伝動軸には閉鎖駆動歯車が固定的に設置され、前記第五回転軸には解錠転向歯車が固定的に設置され、前記第四伝動軸には前記解錠転向歯車と噛み合う解錠駆動歯車が固定的に設置される。
【０００７】
さらなる技術プラントして、前記伝動装置は、前記ペット籠の中に設置され、且つ、前記動力空間と連通される前記メイン伝動空間を含み、前記メイン伝動空間の底壁には給餌回転盤軸が回転できるように設けられ、前記給餌回転盤軸と前記第一伝動軸との間が第一プーリによって伝動できるように連結され、前記給餌回転盤軸の上端には給餌回転盤が固定的に設置され、前記給餌回転盤の中には上下に貫通した給餌穴が設けられ、前記メイン伝動空間の底壁には錠軸が回転できるように設けられ、前記メイン伝動空間の頂壁には閉扉中間伝動軸が回転できるように設けられ、前記閉扉中間伝動軸と前記第二伝動軸との間が前記第二プーリによって伝動できるように連結され、前記閉扉中間伝動軸には閉扉変速伝動歯車が固定的に設けられ、前記錠軸と前記第三伝動軸と、前記第五回転軸とが第三プーリによって伝動できるように連結され、前記錠軸の上端には傘歯車が固定的に設けられ、前記メイン伝動空間の前壁には回転レバーが回転できるように設けられ、前記回転レバーの後端には前記傘歯車と噛み合う転向傘歯車が固定的に設置され、前記回転レバーには変速歯車が固定的に設置され、前記メイン伝動空間の右壁には固定ラックスライド溝が設けられ、前記固定ラックスライド溝の中にはラックがスライドできるように設けられ、前記ラックの前端には前記閉扉変速伝動歯車を固定する固定ブロックが固定的に設置され、前記メイン伝動空間の頂壁には固定伝動軸が回転できるように設けられ、前記固定伝動軸と前記錠軸との間が同期プーリによって伝動できるように連結され、前記固定伝動軸には前記ラックと噛み合う固定伝動歯車が固定的に設置される。
【０００８】
さらなる技術プラントして、前記封閉装置は前記ペット籠の中に設置される前記ペット活動空間を含み、前記ペット活動空間が前記メイン伝動空間の右側に位置し、前記ペット活動空間の上下壁の間には前記封閉扉がスライドできるように設けられ、前記封閉扉の中には柵が固定的に設けられ、前記錠機構が前記封閉扉の前端面に固定的に設置されるロックブロックを含み、前記ロックブロックの中には上下に貫通したロック穴が設けられる。
【０００９】
前記封閉伝動装置は前記ペット籠の中に設置される前記閉扉伝動空間を含み、前記閉扉伝動空間が前記ペット活動空間の上側に位置し、且つ前記ペット活動空間と連通され、前記閉扉伝動空間が前記メイン伝動空間と連通され、前記封閉扉の上端面には扉連結レバーが固定的に設置され、前記扉連結レバーが前記閉扉伝動空間の中まで上へ伸びており、前記閉扉伝動空間の頂壁には扉スライドブロックスライド溝が設けられ、前記扉スライドブロックスライド溝の中には扉スライドブロックがスライドできるように設置され、前記扉連結レバーの上端が前記扉スライドブロックの下端面と固定的に連結され、前記扉スライドブロックの後端面と前記扉スライドブロックスライド溝の後壁との間が開扉ばねによって固定的に連結され、前記閉扉伝動空間の上下壁の間には閉扉伝動軸が回転できるように設けられ、前記閉扉伝動軸には閉扉伝動歯車が回転できるように設けられ、前記閉扉伝動歯車と前記閉扉変速伝動歯車とが噛み合い、前記閉扉伝動歯車にはリールが固定的に設置され、前記リールには閉扉引縄が周設され、前記閉扉引縄の後端と前記扉連結レバーの前端面とが固定的に連結され、前記給餌装置は前記メイン伝動空間の頂壁に固定的に設置される餌箱を含み、前記餌箱の上端が前記ペット籠の上側まで伸びており、前記餌箱の中には上方に開口した餌空間が設けられ、前記餌空間の上側には蓋がねじ山によって結合され、前記給餌回転盤が前記餌空間の中まで伸びており、前記餌空間の底壁には給餌パイプが固定的に連結され、前記給餌パイプと前記餌空間とが連通され、前記給餌パイプの右端が前記ペット活動空間の中まで伸びており、前記ペット活動空間の左壁には前記給餌茶碗が固定的に設けられ、前記給餌茶碗の中には上方に開口した給餌溝が設けられる。
【００１０】
前記注意装置は前記ペット活動空間の左壁に固定的に設置される注意スピーカを含み、前記ラッチ装置は前記ペット箱の中に設置される前記ラッチ空間を含み、前記ラッチ空間と前記メイン伝動空間とが連通され、前記ラッチ空間の前後壁の間にはラッチラックがスライドできるように設けられ、前記ラッチラックと前記変速歯車とが噛み合い、前記ラッチラックの下端面には前記ラッチが固定的に設置され、前記ラッチ空間の底壁の中には上方に開口したラッチ固定溝が設けられる。
【発明の効果】
【００１１】
以上に述べた如く、本発明装置は構造が簡単で、使用が便利で、時間を設定することによって本装置の起動時間を調整でき、本装置が起動した後、給餌を自動的に行うとともに、声を発してペットを籠に入らせ、籠に入った後に自動的に閉扉して自動的に閉鎖し、指定した時間が経った後に自動的に解錠して開扉し、過程全般に人工がいらなく、ペットの籠に対する抵抗を解決し、飼い主の時間を大きく節約できる。
【図面の簡単な説明】
【００１２】
【図１】図１は本発明の時限開閉錠の全体構造概略図である。
【図２】図２は図１のＡ−Ａ方向の構造概略図である。
【図３】図３は図２のＢ―Ｂ方向の構造概略図である。
【発明を実施するための形態】
【００１３】
下記に図１〜３を合わせて本発明について詳しく説明する。意思疎通の便利を図って、下記に記載の上下左右前後方向は図１の投影関係の上下左右前後方向と一致している。
【００１４】
図１−３が示すように、本発明装置の時限開閉錠は、ペット籠１０と、前記ペット籠１０の中に設置されるペット活動空間３１とを含み、前記ペット活動空間３１の中には封閉装置が設けられ、前記封閉装置が封閉扉３５を含み、前記封閉扉３５には錠機構が設けられ、前記ペット活動空間３１の中には給餌装置が設けられ、前記給餌装置が前記ペット活動空間３１の中に設置される給餌茶碗３３を含み、前記ペット活動空間３１の中には注意装置が設けられ、前記ペット籠１０の中には閉扉伝動空間１３設けられ、前記閉扉伝動空間１３の中には封閉伝動装置が設置され、前記封閉伝動装置と前記封閉装置の中の前記封閉扉３５とが連結され、前記ペット籠１０の中にはラッチ空間２２が設けられ、前記ラッチ空間２２に中にはラッチ装置が設けられ、前記ラッチ装置が前記錠機構と協働するラッチ２５を含み、前記ペット籠１０の中には動力空間６９が設けられ、前記動力空間６９の中には動力装置が設けられ、前記動力装置がタイマー起動を行える時限モータ４４を含み、前記動力装置の中には歯車機構が設けられ、前記ペット籠１０の中にはメイン伝動空間６８が設けられ、前記メイン伝動空間６８の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、
前記動力装置は前記ペット籠１０の中に設置される前記動力空間６９を含み、前記動力空間６９の右壁には前記時限モータ４４が固定的に設置され、前記時限モータ４４の左端には動力軸７０が伝動できるように連結され、前記動力軸７０の左端には駆動扇形歯車６５が固定的に設けられる。
【００１５】
その他、前記歯車機構は前記動力空間６９の右壁に回転できるように設置される第一伝動軸６６を含み、前記第一伝動軸６６が前記動力軸７０の後側に位置し、前記動力空間６９の後壁には第二伝動軸４２が回転できるように設けられ、前記第二伝動軸４２が前記動力軸７０の上側に位置し、前記動力空間６９の後壁には第三伝動軸５２が回転できるように設けられ、前記第三伝動軸５２が前記動力軸７０の前側に位置し、前記動力空間６９の後壁には第四伝動軸６４が回転できるように設けられ、前記第四伝動軸６４が前記動力軸７０の下側に位置し、前記動力空間６９の右壁には第五回転軸６２が回転できるように設けられ、前記第五回転軸６２が前記第四伝動軸６４の前側に位置し、前記第一伝動軸６６には給餌駆動歯車６７が固定的に設置され、前記第二伝動軸４２には閉扉駆動歯車４３が固定的に設置され、前記第三伝動軸５２には閉鎖駆動歯車５１が固定的に設置され、前記第五回転軸６２には解錠転向歯車６３が固定的に設置され、前記第四伝動軸６４には前記解錠転向歯車６３と噛み合う解錠駆動歯車５３が固定的に設置される。
【００１６】
本発明装置において、前記伝動装置は、前記ペット籠１０の中に設置され、且つ、前記動力空間６９と連通される前記メイン伝動空間６８を含み、前記メイン伝動空間６８の底壁には給餌回転盤軸５０が回転できるように設けられ、前記給餌回転盤軸５０と前記第一伝動軸６６との間が第一プーリ４８によって伝動できるように連結され、前記給餌回転盤軸５０の上端には給餌回転盤４６が固定的に設置され、前記給餌回転盤４６の中には上下に貫通した給餌穴４７が設けられ、前記メイン伝動空間６８の底壁には錠軸４９が回転できるように設けられ、前記メイン伝動空間６８の頂壁には閉扉中間伝動軸５４が回転できるように設けられ、前記閉扉中間伝動軸５４と前記第二伝動軸４２との間が前記第二プーリ５６によって伝動できるように連結され、前記閉扉中間伝動軸５４には閉扉変速伝動歯車５５が固定的に設けられ、前記錠軸４９と前記第三伝動軸５２と、前記第五回転軸６２とが第三プーリ６１によって伝動できるように連結され、前記錠軸４９の上端には傘歯車６０が固定的に設けられ、前記メイン伝動空間６８の前壁には回転レバー５７が回転できるように設けられ、前記回転レバー５７の後端には前記傘歯車６０と噛み合う転向傘歯車５９が固定的に設置され、前記回転レバー５７には変速歯車５８が固定的に設置され、前記メイン伝動空間６８の右壁には固定ラックスライド溝３６が設けられ、前記固定ラックスライド溝３６の中にはラック３９がスライドできるように設けられ、前記ラック３９の前端には前記閉扉変速伝動歯車５５を固定する固定ブロック３８が固定的に設置され、前記メイン伝動空間６８の頂壁には固定伝動軸４１が回転できるように設けられ、前記固定伝動軸４１と前記錠軸４９との間が同期プーリ４５によって伝動できるように連結され、前記固定伝動軸４１には前記ラック３９と噛み合う固定伝動歯車４０が固定的に設置される。
【００１７】
本発明装置において、前記封閉装置は前記ペット籠１０の中に設置される前記ペット活動空間３１を含み、前記ペット活動空間３１が前記メイン伝動空間６８の右側に位置し、前記ペット活動空間３１の上下壁の間には前記封閉扉３５がスライドできるように設けられ、前記封閉扉３５の中には柵３４が固定的に設けられ、前記錠機構が前記封閉扉３５の前端面に固定的に設置されるロックブロック２７を含み、前記ロックブロック２７の中には上下に貫通したロック穴２８が設けられる。
【００１８】
本発明装置において、前記封閉伝動装置は前記ペット籠１０の中に設置される前記閉扉伝動空間１３を含み、前記閉扉伝動空間１３が前記ペット活動空間３１の上側に位置し、且つ前記ペット活動空間３１と連通され、前記閉扉伝動空間１３が前記メイン伝動空間６８と連通され、前記封閉扉３５の上端面には扉連結レバー１８が固定的に設置され、前記扉連結レバー１８が前記閉扉伝動空間１３の中まで上へ伸びており、前記閉扉伝動空間１３の頂壁には扉スライドブロックスライド溝１６が設けられ、前記扉スライドブロックスライド溝１６の中には扉スライドブロック１５がスライドできるように設置され、前記扉連結レバー１８の上端が前記扉スライドブロック１５の下端面と固定的に連結され、前記扉スライドブロック１５の後端面と前記扉スライドブロックスライド溝１６の後壁との間が開扉ばね１４によって固定的に連結され、前記閉扉伝動空間１３の上下壁の間には閉扉伝動軸１９が回転できるように設けられ、前記閉扉伝動軸１９には閉扉伝動歯車２０が回転できるように設けられ、前記閉扉伝動歯車２０と前記閉扉変速伝動歯車５５とが噛み合い、前記閉扉伝動歯車２０にはリール２１が固定的に設置され、前記リール２１には閉扉引縄１７が周設され、前記閉扉引縄１７の後端と前記扉連結レバー１８の前端面とが固定的に連結され、前記給餌装置は前記メイン伝動空間６８の頂壁に固定的に設置される餌箱１２を含み、前記餌箱１２の上端が前記ペット籠１０の上側まで伸びており、前記餌箱１２の中には上方に開口した餌空間３７が設けられ、前記餌空間３７の上側には蓋１１がねじ山によって結合され、前記給餌回転盤４６が前記餌空間３７の中まで伸びており、前記餌空間３７の底壁には給餌パイプ２６が固定的に連結され、前記給餌パイプ２６と前記餌空間３７とが連通され、前記給餌パイプ２６の右端が前記ペット活動空間３１の中まで伸びており、前記ペット活動空間３１の左壁には前記給餌茶碗３３が固定的に設けられ、前記給餌茶碗３３の中には上方に開口した給餌溝３２が設けられる。
【００１９】
本発明装置において、前記注意装置は前記ペット活動空間３１の左壁に固定的に設置される注意スピーカ２９を含み、前記ラッチ装置は前記ペット箱１０の中に設置される前記ラッチ空間２２を含み、前記ラッチ空間２２と前記メイン伝動空間６８とが連通され、前記ラッチ空間２２の前後壁の間にはラッチラック２４がスライドできるように設けられ、前記ラッチラック２４と前記変速歯車５８とが噛み合い、前記ラッチラック２４の下端面には前記ラッチ２５が固定的に設置され、前記ラッチ空間２２の底壁の中には上方に開口したラッチ固定溝３０が設けられる。
【００２０】
前記時限開閉錠の実現方法は、下記のステップを含む：
【００２１】
初期状態において、前記駆動扇形歯車６５が前記給餌駆動歯車６７と噛み合い、前記固定ブロック３８が前記閉扉変速伝動歯車５５を固定せず、前記餌空間３７と前記給餌パイプ２６とが前記給餌穴４７によって連通されず、前記封閉扉３５が前記ペット活動空間３１を封閉せず、
【００２２】
起動すると、前記時限モータ４４が起動して前記動力軸７０によって前記駆動扇形歯車６５を駆動して回転させ、前記駆動扇形歯車６５が前記給餌駆動歯車６７と、前記第一伝動軸６６と、前記第一プーリ４８とによって前記給餌回転盤軸５０を駆動して回転させ、前記給餌回転盤軸５０が前記給餌回転盤４６を駆動して回転させて前記給餌穴４７によって前記給餌パイプ２６と前記餌空間３７とを連通して給餌を行い、前記注意スピーカ２９が起動して注意を発してペットを前記ペット活動空間３１の中に入らせ、前記駆動扇形歯車６５が前記給餌駆動歯車６７から離脱し、給餌が終わり、前記駆動扇形歯車６５が前記閉扉駆動歯車４３と噛み合って前記第二伝動軸４２と、前記第二プーリ５６と、前記閉扉中間伝動軸５４と、前記閉扉変速伝動歯車５５とによって前記閉扉伝動歯車２０を駆動して回転させ、前記閉扉伝動歯車２０が前記閉扉伝動軸１９によって前記ペット活動空間３１を駆動して回転させて糸を繰り入れて前記閉扉引縄１７によって前記扉連結レバー１８を引き動かし、前記扉連結レバー１８が前記封閉扉３５を駆動して前記ペット活動空間３１を封閉し、前記ロックブロック２７が前記ラッチ空間２２の中に挿入され、前記駆動扇形歯車６５が前記閉扉駆動歯車４３から離脱する直前に前記閉鎖駆動歯車５１と噛み合い、前記閉鎖駆動歯車５１が前記第三伝動軸５２と、前記第三プーリ６１と、前記錠軸４９と、前記同期プーリ４５と、前記固定伝動軸４１とによって前記固定伝動歯車４０を駆動して回転させ、前記固定伝動歯車４０が前記ラック３９を駆動して前記固定ブロック３８により前記閉扉変速伝動歯車５５を固定させ、前記錠軸４９が回転して前記傘歯車６０と、前記転向傘歯車５９と、前記回転レバー５７とによって前記変速歯車５８を駆動して回転させ、前記変速歯車５８が前記ラッチラック２４を駆動して下へ運動させ、これにより前記ラッチ２５を前記ロック穴２８から前記ラッチ固定溝３０の中に挿入してドアをロックし、この時前記駆動扇形歯車６５が前記閉鎖駆動歯車５１から離脱し、且つ前記解錠駆動歯車５３と噛み合っていなく、前記時限モータ４４の回転が停止し、
【００２３】
開扉する時、前記時限モータ４４が再び起動し、前記駆動扇形歯車６５が前記解錠駆動歯車５３と噛み合って前記解錠転向歯車６３と、前記第五回転軸６２と、前記第三プーリ６１とによって前記ラッチラック２４と、前記ラッチ２５とを復帰させ、前記固定ブロック３８が前記閉扉変速伝動歯車５５から離脱し、前記開扉ばね１４が復帰して前記扉スライドブロック１５と、前記扉連結レバー１８によって前記封閉扉３５を連動させて復帰させ、これにより開扉を実現し、この時前記駆動扇形歯車６５が初期状態に戻る。
【００２４】
以上に述べた如く、本発明装置は構造が簡単で、使用が便利で、時間を設定することによって本装置の起動時間を調整でき、本装置が起動した後、給餌を自動的に行うとともに、声を発してペットを籠に入らせ、籠に入った後に自動的に閉扉して自動的に閉鎖し、指定した時間が経った後に自動的に解錠して開扉し、過程全般に人工がいらなく、ペットの籠に対する抵抗を解決し、飼い主の時間を大きく節約できる。
【００２５】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【図１】
2020174646.tif 000003
【図２】
2020174646.tif 000004
【図３】
2020174646.tif 000005
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ペット籠と、前記ペット籠の中に設置されるペット活動空間とを含み、前記ペット活動空間の中には封閉装置が設けられ、前記封閉装置が封閉扉を含み、前記封閉扉には錠機構が設けられ、前記ペット活動空間の中には給餌装置が設けられ、前記給餌装置が前記ペット活動空間の中に設置される給餌茶碗を含み、前記ペット活動空間の中には注意装置が設けられ、前記ペット籠の中には閉扉伝動空間が設けられ、前記閉扉伝動空間の中には封閉伝動装置が設置され、前記封閉伝動装置と前記封閉装置の中の前記封閉扉とが連結され、前記ペット籠の中にはラッチ空間が設けられ、前記ラッチ空間の中にはラッチ装置が設けられ、前記ラッチ装置が前記錠機構と協働するラッチを含み、前記ペット籠の中には動力空間が設けられ、前記動力空間の中には動力装置が設けられ、前記動力装置がタイマー起動を行える時限モータを含み、前記動力装置の中には歯車機構が設けられ、前記ペット籠の中にはメイン伝動空間が設けられ、前記メイン伝動空間の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、前記動力装置は前記ペット籠の中に設置される前記動力空間を含み、前記動力空間の右壁には前記時限モータが固定的に設置され、前記時限モータの左端には動力軸が伝動できるように連結され、前記動力軸の左端には駆動扇形歯車が固定的に設けられ、
その他、前記歯車機構は前記動力空間の右壁に回転できるように設置される第一伝動軸を含み、前記第一伝動軸が前記動力軸の後側に位置し、前記動力空間の後壁には第二伝動軸が回転できるように設けられ、前記第二伝動軸が前記動力軸の上側に位置し、前記動力空間の後壁には第三伝動軸が回転できるように設けられ、前記第三伝動軸が前記動力軸の前側に位置し、前記動力空間の後壁には第四伝動軸が回転できるように設けられ、前記第四伝動軸が前記動力軸の下側に位置し、前記動力空間の右壁には第五回転軸が回転できるように設けられ、前記第五回転軸が前記第四伝動軸の前側に位置し、前記第一伝動軸には給餌駆動歯車が固定的に設置され、前記第二伝動軸には閉扉駆動歯車が固定的に設置され、前記第三伝動軸には閉鎖駆動歯車が固定的に設置され、前記第五回転軸には解錠転向歯車が固定的に設置され、前記第四伝動軸には前記解錠転向歯車と噛み合う解錠駆動歯車が固定的に設置されることを特徴とする時限開閉錠。
【請求項２】
前記伝動装置は前記メイン伝動空間の底壁に回転可能に設置された給餌回転盤軸を含み、前記給餌回転盤軸と前記第一伝動軸との間が第一プーリによって伝動できるように連結され、前記給餌回転盤軸の上端には給餌回転盤が固定的に設置され、前記給餌回転盤の中には上下に貫通した給餌穴が設けられ、前記メイン伝動空間の底壁には錠軸が回転できるように設けられ、前記メイン伝動空間の頂壁には閉扉中間伝動軸が回転できるように設けられ、前記閉扉中間伝動軸と前記第二伝動軸との間が前記第二プーリによって伝動できるように連結され、前記閉扉中間伝動軸には閉扉変速伝動歯車が固定的に設けられ、前記錠軸と前記第三伝動軸と、前記第五回転軸とが第三プーリによって伝動できるように連結され、前記錠軸の上端には傘歯車が固定的に設けられ、前記メイン伝動空間の前壁には回転レバーが回転できるように設けられ、前記回転レバーの後端には前記傘歯車と噛み合う転向傘歯車が固定的に設置され、前記回転レバーには変速歯車が固定的に設置され、前記メイン伝動空間の右壁には固定ラックスライド溝が設けられ、前記固定ラックスライド溝の中にはラックがスライドできるように設けられ、前記ラックの前端には前記閉扉変速伝動歯車を固定する固定ブロックが固定的に設置され、前記メイン伝動空間の頂壁には固定伝動軸が回転できるように設けられ、前記固定伝動軸と前記錠軸との間が同期プーリによって伝動できるように連結され、前記固定伝動軸には前記ラックと噛み合う固定伝動歯車が固定的に設置されることを特徴とする請求項１に記載の時限開閉錠。
【請求項３】
前記封閉装置は前記ペット籠の中に設置される前記ペット活動空間を含み、前記ペット活動空間が前記メイン伝動空間の右側に位置し、前記ペット活動空間の上下壁の間には前記封閉扉がスライドできるように設けられ、前記封閉扉の中には柵が固定的に設けられ、前記錠機構が前記封閉扉の前端面に固定的に設置されるロックブロックを含み、前記ロックブロックの中には上下に貫通したロック穴が設けられることを特徴とする請求項１に記載の時限開閉錠。
【請求項４】
前記封閉伝動装置は前記封閉扉の上端面に固定的に設置された扉連結レバーを含み、前記扉連結レバーが前記閉扉伝動空間の中まで上へ伸びており、前記閉扉伝動空間の頂壁には扉スライドブロックスライド溝が設けられ、前記扉スライドブロックスライド溝の中には扉スライドブロックがスライドできるように設置され、前記扉連結レバーの上端が前記扉スライドブロックの下端面と固定的に連結され、前記扉スライドブロックの後端面と前記扉スライドブロックスライド溝の後壁との間が開扉ばねによって固定的に連結され、前記閉扉伝動空間の上下壁の間には閉扉伝動軸が回転できるように設けられ、前記閉扉伝動軸には閉扉伝動歯車が回転できるように設けられ、前記閉扉伝動歯車と前記閉扉変速伝動歯車とが噛み合い、前記閉扉伝動歯車にはリールが固定的に設置され、前記リールには閉扉引縄が周設され、前記閉扉引縄の後端と前記扉連結レバーの前端面とが固定的に連結され、前記給餌装置は前記メイン伝動空間の頂壁に固定的に設置される餌箱を含み、前記餌箱の上端が前記ペット籠の上側まで伸びており、前記餌箱の中には上方に開口した餌空間が設けられ、前記餌空間の上側には蓋がねじ山によって結合され、前記給餌回転盤が前記餌空間の中まで伸びており、前記餌空間の底壁には給餌パイプが固定的に連結され、前記給餌パイプと前記餌空間とが連通され、前記給餌パイプの右端が前記ペット活動空間の中まで伸びており、前記ペット活動空間の左壁には前記給餌茶碗が固定的に設けられ、前記給餌茶碗の中には上方に開口した給餌溝が設けられることを特徴とする請求項２に記載の時限開閉錠。
【請求項５】
前記注意装置は前記ペット活動空間の左壁に固定的に設置される注意スピーカを含み、前記ラッチ装置は前記ラッチ空間の前後壁の間にスライド可能に設置されたラッチラックを含み、前記ラッチラックと前記変速歯車とが噛み合い、前記ラッチラックの下端面には前記ラッチが固定的に設置され、前記ラッチ空間の底壁の中には上方に開口したラッチ固定溝が設けられることを特徴とする請求項２に記載の時限開閉錠。
【手続補正２】
【補正対象書類名】明細書
【補正対象項目名】全文
【補正方法】変更
【補正の内容】
【発明の詳細な説明】
【技術分野】
【０００１】
本発明は機械技術分野に関し、具体的には時限開閉錠に関する。
【背景技術】
【０００２】
生活レベルの向上と伴い、生活においてペットの必要性を感じて飼う人が多くなってきた。夜にいい眠りを保証するために、生まれつきながら活動が頻繁である上に、飼い主と体内時計が違うペットに対して、夜になると籠の中に閉じ込め、昼になったら解放する方法を採用するものの、籠に対する抵抗が強いペットに対し、時限開閉錠を提供する必要があると思う。
【先行技術文献】
【特許文献】
【０００３】
【特許文献１】中国特許出願公開第１０５０６４８２０号明細書
【発明の概要】
【発明が解決しようとする課題】
【０００４】
本発明の目的は時限開閉錠を提供し、既存の技術にある上記の欠陥を補うことにある。
【課題を解決するための手段】
【０００５】
本発明の時限開閉錠は、ペット籠と、前記ペット籠の中に設置されるペット活動空間とを含み、前記ペット活動空間の中には封閉装置が設けられ、前記封閉装置が封閉扉を含み、前記封閉扉には錠機構が設けられ、前記ペット活動空間の中には給餌装置が設けられ、前記給餌装置が前記ペット活動空間の中に設置される給餌茶碗を含み、前記ペット活動空間の中には注意装置が設けられ、前記ペット籠の中には閉扉伝動空間が設けられ、前記閉扉伝動空間の中には封閉伝動装置が設置され、前記封閉伝動装置と前記封閉装置の中の前記封閉扉とが連結され、前記ペット籠の中にはラッチ空間が設けられ、前記ラッチ空間の中にはラッチ装置が設けられ、前記ラッチ装置が前記錠機構と協働するラッチを含み、前記ペット籠の中には動力空間が設けられ、前記動力空間の中には動力装置が設けられ、前記動力装置がタイマー起動を行える時限モータを含み、前記動力装置の中には歯車機構が設けられ、前記ペット籠の中にはメイン伝動空間が設けられ、前記メイン伝動空間の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、前記動力装置は前記ペット籠の中に設置される前記動力空間を含み、前記動力空間の右壁には前記時限モータが固定的に設置され、前記時限モータの左端には動力軸が伝動できるように連結され、前記動力軸の左端には駆動扇形歯車が固定的に設けられる。
【０００６】
その他、前記歯車機構は前記動力空間の右壁に回転できるように設置される第一伝動軸を含み、前記第一伝動軸が前記動力軸の後側に位置し、前記動力空間の後壁には第二伝動軸が回転できるように設けられ、前記第二伝動軸が前記動力軸の上側に位置し、前記動力空間の後壁には第三伝動軸が回転できるように設けられ、前記第三伝動軸が前記動力軸の前側に位置し、前記動力空間の後壁には第四伝動軸が回転できるように設けられ、前記第四伝動軸が前記動力軸の下側に位置し、前記動力空間の右壁には第五回転軸が回転できるように設けられ、前記第五回転軸が前記第四伝動軸の前側に位置し、前記第一伝動軸には給餌駆動歯車が固定的に設置され、前記第二伝動軸には閉扉駆動歯車が固定的に設置され、前記第三伝動軸には閉鎖駆動歯車が固定的に設置され、前記第五回転軸には解錠転向歯車が固定的に設置され、前記第四伝動軸には前記解錠転向歯車と噛み合う解錠駆動歯車が固定的に設置される。
【０００７】
さらなる技術プラントして、前記伝動装置は前記メイン伝動空間の底壁に回転可能に設置された給餌回転盤軸を含み、前記給餌回転盤軸と前記第一伝動軸との間が第一プーリによって伝動できるように連結され、前記給餌回転盤軸の上端には給餌回転盤が固定的に設置され、前記給餌回転盤の中には上下に貫通した給餌穴が設けられ、前記メイン伝動空間の底壁には錠軸が回転できるように設けられ、前記メイン伝動空間の頂壁には閉扉中間伝動軸が回転できるように設けられ、前記閉扉中間伝動軸と前記第二伝動軸との間が前記第二プーリによって伝動できるように連結され、前記閉扉中間伝動軸には閉扉変速伝動歯車が固定的に設けられ、前記錠軸と前記第三伝動軸と、前記第五回転軸とが第三プーリによって伝動できるように連結され、前記錠軸の上端には傘歯車が固定的に設けられ、前記メイン伝動空間の前壁には回転レバーが回転できるように設けられ、前記回転レバーの後端には前記傘歯車と噛み合う転向傘歯車が固定的に設置され、前記回転レバーには変速歯車が固定的に設置され、前記メイン伝動空間の右壁には固定ラックスライド溝が設けられ、前記固定ラックスライド溝の中にはラックがスライドできるように設けられ、前記ラックの前端には前記閉扉変速伝動歯車を固定する固定ブロックが固定的に設置され、前記メイン伝動空間の頂壁には固定伝動軸が回転できるように設けられ、前記固定伝動軸と前記錠軸との間が同期プーリによって伝動できるように連結され、前記固定伝動軸には前記ラックと噛み合う固定伝動歯車が固定的に設置される。
【０００８】
さらなる技術プラントして、前記封閉装置は前記ペット籠の中に設置される前記ペット活動空間を含み、前記ペット活動空間が前記メイン伝動空間の右側に位置し、前記ペット活動空間の上下壁の間には前記封閉扉がスライドできるように設けられ、前記封閉扉の中には柵が固定的に設けられ、前記錠機構が前記封閉扉の前端面に固定的に設置されるロックブロックを含み、前記ロックブロックの中には上下に貫通したロック穴が設けられる。
【０００９】
前記封閉伝動装置は前記封閉扉の上端面に固定的に設置された扉連結レバーを含み、前記扉連結レバーが前記閉扉伝動空間の中まで上へ伸びており、前記閉扉伝動空間の頂壁には扉スライドブロックスライド溝が設けられ、前記扉スライドブロックスライド溝の中には扉スライドブロックがスライドできるように設置され、前記扉連結レバーの上端が前記扉スライドブロックの下端面と固定的に連結され、前記扉スライドブロックの後端面と前記扉スライドブロックスライド溝の後壁との間が開扉ばねによって固定的に連結され、前記閉扉伝動空間の上下壁の間には閉扉伝動軸が回転できるように設けられ、前記閉扉伝動軸には閉扉伝動歯車が回転できるように設けられ、前記閉扉伝動歯車と前記閉扉変速伝動歯車とが噛み合い、前記閉扉伝動歯車にはリールが固定的に設置され、前記リールには閉扉引縄が周設され、前記閉扉引縄の後端と前記扉連結レバーの前端面とが固定的に連結され、前記給餌装置は前記メイン伝動空間の頂壁に固定的に設置される餌箱を含み、前記餌箱の上端が前記ペット籠の上側まで伸びており、前記餌箱の中には上方に開口した餌空間が設けられ、前記餌空間の上側には蓋がねじ山によって結合され、前記給餌回転盤が前記餌空間の中まで伸びており、前記餌空間の底壁には給餌パイプが固定的に連結され、前記給餌パイプと前記餌空間とが連通され、前記給餌パイプの右端が前記ペット活動空間の中まで伸びており、前記ペット活動空間の左壁には前記給餌茶碗が固定的に設けられ、前記給餌茶碗の中には上方に開口した給餌溝が設けられる。
【００１０】
前記注意装置は前記ペット活動空間の左壁に固定的に設置される注意スピーカを含み、前記ラッチ装置は前記ラッチ空間の前後壁の間にスライド可能に設置されたラッチラックを含み、前記ラッチラックと前記変速歯車とが噛み合い、前記ラッチラックの下端面には前記ラッチが固定的に設置され、前記ラッチ空間の底壁の中には上方に開口したラッチ固定溝が設けられる。
【発明の効果】
【００１１】
以上に述べた如く、本発明装置は構造が簡単で、使用が便利で、時間を設定することによって本装置の起動時間を調整でき、本装置が起動した後、給餌を自動的に行うとともに、声を発してペットを籠に入らせ、籠に入った後に自動的に閉扉して自動的に閉鎖し、指定した時間が経った後に自動的に解錠して開扉し、過程全般に人工がいらなく、ペットの籠に対する抵抗を解決し、飼い主の時間を大きく節約できる。
【図面の簡単な説明】
【００１２】
【図１】図１は本発明の時限開閉錠の全体構造概略図である。
【図２】図２は図１のＡ−Ａ方向の構造概略図である。
【図３】図３は図２のＢ―Ｂ方向の構造概略図である。
【発明を実施するための形態】
【００１３】
下記に図１〜３を合わせて本発明について詳しく説明する。意思疎通の便利を図って、下記に記載の上下左右前後方向は図１の投影関係の上下左右前後方向と一致している。
【００１４】
図１−３が示すように、本発明装置の時限開閉錠は、ペット籠１０と、前記ペット籠１０の中に設置されるペット活動空間３１とを含み、前記ペット活動空間３１の中には封閉装置が設けられ、前記封閉装置が封閉扉３５を含み、前記封閉扉３５には錠機構が設けられ、前記ペット活動空間３１の中には給餌装置が設けられ、前記給餌装置が前記ペット活動空間３１の中に設置される給餌茶碗３３を含み、前記ペット活動空間３１の中には注意装置が設けられ、前記ペット籠１０の中には閉扉伝動空間１３が設けられ、前記閉扉伝動空間１３の中には封閉伝動装置が設置され、前記封閉伝動装置と前記封閉装置の中の前記封閉扉３５とが連結され、前記ペット籠１０の中にはラッチ空間２２が設けられ、前記ラッチ空間２２の中にはラッチ装置が設けられ、前記ラッチ装置が前記錠機構と協働するラッチ２５を含み、前記ペット籠１０の中には動力空間６９が設けられ、前記動力空間６９の中には動力装置が設けられ、前記動力装置がタイマー起動を行える時限モータ４４を含み、前記動力装置の中には歯車機構が設けられ、前記ペット籠１０の中にはメイン伝動空間６８が設けられ、前記メイン伝動空間６８の中には伝動装置が設けられ、前記伝動装置と前記動力装置の中の歯車機構とが伝動できるように連結され、前記伝動装置が前記封閉伝動装置と、前記給餌装置と、前記ラッチ装置と伝動できるように連結され、
前記動力装置は前記ペット籠１０の中に設置される前記動力空間６９を含み、前記動力空間６９の右壁には前記時限モータ４４が固定的に設置され、前記時限モータ４４の左端には動力軸７０が伝動できるように連結され、前記動力軸７０の左端には駆動扇形歯車６５が固定的に設けられる。
【００１５】
その他、前記歯車機構は前記動力空間６９の右壁に回転できるように設置される第一伝動軸６６を含み、前記第一伝動軸６６が前記動力軸７０の後側に位置し、前記動力空間６９の後壁には第二伝動軸４２が回転できるように設けられ、前記第二伝動軸４２が前記動力軸７０の上側に位置し、前記動力空間６９の後壁には第三伝動軸５２が回転できるように設けられ、前記第三伝動軸５２が前記動力軸７０の前側に位置し、前記動力空間６９の後壁には第四伝動軸６４が回転できるように設けられ、前記第四伝動軸６４が前記動力軸７０の下側に位置し、前記動力空間６９の右壁には第五回転軸６２が回転できるように設けられ、前記第五回転軸６２が前記第四伝動軸６４の前側に位置し、前記第一伝動軸６６には給餌駆動歯車６７が固定的に設置され、前記第二伝動軸４２には閉扉駆動歯車４３が固定的に設置され、前記第三伝動軸５２には閉鎖駆動歯車５１が固定的に設置され、前記第五回転軸６２には解錠転向歯車６３が固定的に設置され、前記第四伝動軸６４には前記解錠転向歯車６３と噛み合う解錠駆動歯車５３が固定的に設置される。
【００１６】
本発明装置において、前記伝動装置は前記メイン伝動空間６８の底壁に回転可能に設置された給餌回転盤軸５０を含み、前記給餌回転盤軸５０と前記第一伝動軸６６との間が第一プーリ４８によって伝動できるように連結され、前記給餌回転盤軸５０の上端には給餌回転盤４６が固定的に設置され、前記給餌回転盤４６の中には上下に貫通した給餌穴４７が設けられ、前記メイン伝動空間６８の底壁には錠軸４９が回転できるように設けられ、前記メイン伝動空間６８の頂壁には閉扉中間伝動軸５４が回転できるように設けられ、前記閉扉中間伝動軸５４と前記第二伝動軸４２との間が前記第二プーリ５６によって伝動できるように連結され、前記閉扉中間伝動軸５４には閉扉変速伝動歯車５５が固定的に設けられ、前記錠軸４９と前記第三伝動軸５２と、前記第五回転軸６２とが第三プーリ６１によって伝動できるように連結され、前記錠軸４９の上端には傘歯車６０が固定的に設けられ、前記メイン伝動空間６８の前壁には回転レバー５７が回転できるように設けられ、前記回転レバー５７の後端には前記傘歯車６０と噛み合う転向傘歯車５９が固定的に設置され、前記回転レバー５７には変速歯車５８が固定的に設置され、前記メイン伝動空間６８の右壁には固定ラックスライド溝３６が設けられ、前記固定ラックスライド溝３６の中にはラック３９がスライドできるように設けられ、前記ラック３９の前端には前記閉扉変速伝動歯車５５を固定する固定ブロック３８が固定的に設置され、前記メイン伝動空間６８の頂壁には固定伝動軸４１が回転できるように設けられ、前記固定伝動軸４１と前記錠軸４９との間が同期プーリ４５によって伝動できるように連結され、前記固定伝動軸４１には前記ラック３９と噛み合う固定伝動歯車４０が固定的に設置される。
【００１７】
本発明装置において、前記封閉装置は前記ペット籠１０の中に設置される前記ペット活動空間３１を含み、前記ペット活動空間３１が前記メイン伝動空間６８の右側に位置し、前記ペット活動空間３１の上下壁の間には前記封閉扉３５がスライドできるように設けられ、前記封閉扉３５の中には柵３４が固定的に設けられ、前記錠機構が前記封閉扉３５の前端面に固定的に設置されるロックブロック２７を含み、前記ロックブロック２７の中には上下に貫通したロック穴２８が設けられる。
【００１８】
本発明装置において、前記封閉伝動装置は前記封閉扉３５の上端面に固定的に設置された扉連結レバー１８を含み、前記扉連結レバー１８が前記閉扉伝動空間１３の中まで上へ伸びており、前記閉扉伝動空間１３の頂壁には扉スライドブロックスライド溝１６が設けられ、前記扉スライドブロックスライド溝１６の中には扉スライドブロック１５がスライドできるように設置され、前記扉連結レバー１８の上端が前記扉スライドブロック１５の下端面と固定的に連結され、前記扉スライドブロック１５の後端面と前記扉スライドブロックスライド溝１６の後壁との間が開扉ばね１４によって固定的に連結され、前記閉扉伝動空間１３の上下壁の間には閉扉伝動軸１９が回転できるように設けられ、前記閉扉伝動軸１９には閉扉伝動歯車２０が回転できるように設けられ、前記閉扉伝動歯車２０と前記閉扉変速伝動歯車５５とが噛み合い、前記閉扉伝動歯車２０にはリール２１が固定的に設置され、前記リール２１には閉扉引縄１７が周設され、前記閉扉引縄１７の後端と前記扉連結レバー１８の前端面とが固定的に連結され、前記給餌装置は前記メイン伝動空間６８の頂壁に固定的に設置される餌箱１２を含み、前記餌箱１２の上端が前記ペット籠１０の上側まで伸びており、前記餌箱１２の中には上方に開口した餌空間３７が設けられ、前記餌空間３７の上側には蓋１１がねじ山によって結合され、前記給餌回転盤４６が前記餌空間３７の中まで伸びており、前記餌空間３７の底壁には給餌パイプ２６が固定的に連結され、前記給餌パイプ２６と前記餌空間３７とが連通され、前記給餌パイプ２６の右端が前記ペット活動空間３１の中まで伸びており、前記ペット活動空間３１の左壁には前記給餌茶碗３３が固定的に設けられ、前記給餌茶碗３３の中には上方に開口した給餌溝３２が設けられる。
【００１９】
本発明装置において、前記注意装置は前記ペット活動空間３１の左壁に固定的に設置される注意スピーカ２９を含み、前記ラッチ装置は前記ラッチ空間２２の前後壁の間にスライド可能に設置されたラッチラック２４を含み、前記ラッチラック２４と前記変速歯車５８とが噛み合い、前記ラッチラック２４の下端面には前記ラッチ２５が固定的に設置され、前記ラッチ空間２２の底壁の中には上方に開口したラッチ固定溝３０が設けられる。
【００２０】
前記時限開閉錠の実現方法は、下記のステップを含む：
【００２１】
初期状態において、前記駆動扇形歯車６５が前記給餌駆動歯車６７と噛み合い、前記固定ブロック３８が前記閉扉変速伝動歯車５５を固定せず、前記餌空間３７と前記給餌パイプ２６とが前記給餌穴４７によって連通されず、前記封閉扉３５が前記ペット活動空間３１を封閉せず、
【００２２】
起動すると、前記時限モータ４４が起動して前記動力軸７０によって前記駆動扇形歯車６５を駆動して回転させ、前記駆動扇形歯車６５が前記給餌駆動歯車６７と、前記第一伝動軸６６と、前記第一プーリ４８とによって前記給餌回転盤軸５０を駆動して回転させ、前記給餌回転盤軸５０が前記給餌回転盤４６を駆動して回転させて前記給餌穴４７によって前記給餌パイプ２６と前記餌空間３７とを連通して給餌を行い、前記注意スピーカ２９が起動して注意を発してペットを前記ペット活動空間３１の中に入らせ、前記駆動扇形歯車６５が前記給餌駆動歯車６７から離脱し、給餌が終わり、前記駆動扇形歯車６５が前記閉扉駆動歯車４３と噛み合って前記第二伝動軸４２と、前記第二プーリ５６と、前記閉扉中間伝動軸５４と、前記閉扉変速伝動歯車５５とによって前記閉扉伝動歯車２０を駆動して回転させ、前記閉扉伝動歯車２０が前記閉扉伝動軸１９によって前記ペット活動空間３１を駆動して回転させて糸を繰り入れて前記閉扉引縄１７によって前記扉連結レバー１８を引き動かし、前記扉連結レバー１８が前記封閉扉３５を駆動して前記ペット活動空間３１を封閉し、前記ロックブロック２７が前記ラッチ空間２２の中に挿入され、前記駆動扇形歯車６５が前記閉扉駆動歯車４３から離脱する直前に前記閉鎖駆動歯車５１と噛み合い、前記閉鎖駆動歯車５１が前記第三伝動軸５２と、前記第三プーリ６１と、前記錠軸４９と、前記同期プーリ４５と、前記固定伝動軸４１とによって前記固定伝動歯車４０を駆動して回転させ、前記固定伝動歯車４０が前記ラック３９を駆動して前記固定ブロック３８により前記閉扉変速伝動歯車５５を固定させ、前記錠軸４９が回転して前記傘歯車６０と、前記転向傘歯車５９と、前記回転レバー５７とによって前記変速歯車５８を駆動して回転させ、前記変速歯車５８が前記ラッチラック２４を駆動して下へ運動させ、これにより前記ラッチ２５を前記ロック穴２８から前記ラッチ固定溝３０の中に挿入してドアをロックし、この時前記駆動扇形歯車６５が前記閉鎖駆動歯車５１から離脱し、且つ前記解錠駆動歯車５３と噛み合っていなく、前記時限モータ４４の回転が停止し、
【００２３】
開扉する時、前記時限モータ４４が再び起動し、前記駆動扇形歯車６５が前記解錠駆動歯車５３と噛み合って前記解錠転向歯車６３と、前記第五回転軸６２と、前記第三プーリ６１とによって前記ラッチラック２４と、前記ラッチ２５とを復帰させ、前記固定ブロック３８が前記閉扉変速伝動歯車５５から離脱し、前記開扉ばね１４が復帰して前記扉スライドブロック１５と、前記扉連結レバー１８によって前記封閉扉３５を連動させて復帰させ、これにより開扉を実現し、この時前記駆動扇形歯車６５が初期状態に戻る。
【００２４】
以上に述べた如く、本発明装置は構造が簡単で、使用が便利で、時間を設定することによって本装置の起動時間を調整でき、本装置が起動した後、給餌を自動的に行うとともに、声を発してペットを籠に入らせ、籠に入った後に自動的に閉扉して自動的に閉鎖し、指定した時間が経った後に自動的に解錠して開扉し、過程全般に人工がいらなく、ペットの籠に対する抵抗を解決し、飼い主の時間を大きく節約できる。
【００２５】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。